【手続補正書】
【提出日】平成26年6月9日(2014.6.9)
【手続補正１】
【補正対象書類名】明細書
【補正対象項目名】発明の名称
【補正方法】変更
【補正の内容】
【発明の名称】画像処理装置、プログラム及び画像処理方法
【手続補正２】
【補正対象書類名】明細書
【補正対象項目名】０００１
【補正方法】変更
【補正の内容】
【０００１】
本発明は、画像処理装置、プログラム及び画像処理方法に関する。
【手続補正３】
【補正対象書類名】明細書
【補正対象項目名】０００７
【補正方法】変更
【補正の内容】
【０００７】
そこで本発明は、タッチパネルが表示部の解像度よりも高い分解能を有する場合に、表示部の画素数よりはるかに多くの画素で撮影された画像にその高い分解能を反映させて高い精度で位置指定、或いは範囲指定を行うことができる画像処理装置、プログラム及び画像処理方法を提供することを目的とする。
【手続補正４】
【補正対象書類名】明細書
【補正対象項目名】０００８
【補正方法】変更
【補正の内容】
【０００８】
この発明は、表示部の上に備えられ、ユーザが該表示部による表示に基づいてタッチ入力の結果を確認しながら位置指定を行うタッチ入力手段と、前記表示部の解像度に対応した第１の画素数の画像を前記表示部に出力するとともに、前記第１の画素数より多い画素数の第２の画素数の画像をメモリに出力する出力制御手段と、前記第１の画素数の画像を表示している前記表示部に対する前記タッチ入力手段によるタッチ入力で指定された位置或いは範囲を、前記出力制御手段によりメモリに出力されている前記第２の画素数の画像上における位置或いは範囲として特定する位置範囲特定手段とを備えることを特徴とする画像処理装置である。
【手続補正５】
【補正対象書類名】特許請求の範囲
【補正対象項目名】全文
【補正方法】変更
【補正の内容】
【特許請求の範囲】
【請求項１】
表示部の上に備えられ、ユーザが該表示部による表示に基づいてタッチ入力の結果を確認しながら位置指定を行うタッチ入力手段と、
前記表示部の解像度に対応した第１の画素数の画像を前記表示部に出力するとともに、前記第１の画素数より多い画素数の第２の画素数の画像をメモリに出力する出力制御手段と、
前記第１の画素数の画像を表示している前記表示部に対する前記タッチ入力手段によるタッチ入力で指定された位置或いは範囲を、前記出力制御手段によりメモリに出力されている前記第２の画素数の画像上における位置或いは範囲として特定する位置範囲特定手段と
を備えることを特徴とする画像処理装置。
【請求項２】
前記タッチ入力部は、前記表示部の解像度よりも高い分解能を有し、
前記位置範囲特定手段は、前記第１の画素数の画像上よりも高い解像度で、前記第２の画素数の画像上における位置或いは範囲を特定することを特徴とする請求項１に記載の画像処理装置。
【請求項３】
前記出力制御手段は、前記タッチ入力手段によるタッチ入力が検出されない状態では、前記第１の画素数の画像を前記表示部に出力し、前記タッチ入力手段によるタッチ入力が検出された際には、前記表示部の解像度に対応した第１の画素数の画像を前記表示部に出力するとともに、前記第１の画素数より多い画素数の第２の画素数の画像をメモリに出力することを特徴とする請求項１または２に記載の画像処理装置。
【請求項４】
前記位置範囲特定手段により、メモリに出力されている前記第２の画素数の画像上における位置或いは範囲が特定された際に、該位置或いは範囲を拡大して表示する拡大表示手段を更に備えることを特徴とする請求項１乃至３のいずれか一項に記載の画像処理装置。
【請求項５】
前記位置範囲特定手段により特定された、前記第２の画素数の画像上における位置或いは範囲に基づいて、前記タッチ入力手段によるタッチ入力で指定された被写体を推測する推測手段を更に備え、
前記位置範囲特定手段は、前記推測手段により推測された被写体に基づいて、前記タッチ入力手段で指定された位置或いは範囲を、前記出力制御手段により前記メモリに出力されている前記第２の画素数の画像上における位置或いは範囲として特定することを特徴とする請求項１乃至４のいずれか一項に記載の画像処理装置。
【請求項６】
被写体と該被写体のオートフォーカスの対象とすべき特定部分とを対応付けて記憶する記憶手段を更に備え、
前記位置範囲特定手段は、前記タッチ入力手段で指定された位置或いは範囲を、前記出力制御手段により前記メモリに出力されている前記第２の画素数の画像上における、前記推測手段により推測された被写体に対して、前記記憶手段に対応付けて記憶されている該被写体のオートフォーカスの対象とすべき特定部分として特定することを特徴とする請求項５に記載の画像処理装置。
【請求項７】
前記タッチ入力手段は、誘電体の近接を更に検出し、
前記出力制御手段は、前記画像を該タッチ入力手段が誘電体の離反を検出している状態では、前記第１の画素数で前記表示部に出力し、誘電体の近接を検出した際には、前記第１の画素数の画像を前記表示部に出力するとともに、前記第２の画素数の画像をメモリに出力することを特徴とする請求項３に記載の画像処理装置。
【請求項８】
前記第１の画素数を有する画像、または前記第２の画素数を有する画像を撮像する撮像手段を更に備え、
前記出力制御手段は、前記タッチ入力手段によるタッチ入力が検出されない状態では、前記撮像手段によって撮像された前記第１の画素数を有する画像を取り込んで前記表示部に出力し、前記タッチ入力手段によるタッチ入力が検出された際には、前記撮像手段によって撮像された前記第１の画素数の画像を取り込んで前記表示部に出力するとともに、前記撮像手段によって前記第２の画素数の画像を撮像して取り込んでメモリに出力することを特徴とする請求項３に記載の画像処理装置。
【請求項９】
画像を記憶する画像記憶手段を更に備え、
前記出力制御手段は、前記タッチ入力手段によるタッチ入力が検出されない状態では、前記画像記憶手段から画像を読み出して前記表示部の解像度に対応した第１の画素数で前記表示部に出力し、前記タッチ入力手段によるタッチ入力が検出された際には、前記画像記憶手段から画像を読み出して前記第１の画素数で前記表示部に出力するとともに、前記画像記憶手段から画像を読み出して前記第２の画素数でメモリに出力することを特徴とする請求項３に記載の画像処理装置。
【請求項１０】
メモリと表示部と該表示部の上に備えられたタッチ入力部とを備える画像処理装置のコンピュータに、
前記タッチ入力部により、ユーザが該表示部による表示に基づいてタッチ入力の結果を確認しながら位置指定を行うタッチ入力機能、
前記表示部の解像度に対応した第１の画素数の画像を前記表示部に出力するとともに、前記第１の画素数より多い画素数の第２の画素数の画像を前記メモリに出力する出力制御機能、
前記第１の画素数の画像を表示している前記表示部に対する前記タッチ入力部によるタッチ入力で指定された位置或いは範囲を、前記出力制御機能により前記メモリに出力されている前記第２の画素数の画像上における位置或いは範囲として特定する位置範囲特定機能
を実現させることを特徴とするプログラム。
【請求項１１】
メモリと表示部と該表示部の上に備えられたタッチ入力部とを備える画像処理装置における画像処理方法であって、
前記タッチ入力部により、ユーザが該表示部による表示に基づいてタッチ入力の結果を確認しながら位置指定を行うタッチ入力処理と、
前記表示部の解像度に対応した第１の画素数の画像を前記表示部に出力するとともに、前記第１の画素数より多い画素数の第２の画素数の画像を前記メモリに出力する出力制御処理と、
前記第１の画素数の画像を表示している前記表示部に対する前記タッチ入力部によるタッチ入力で指定された位置或いは範囲を、前記出力制御処理により前記メモリに出力されている前記第２の画素数の画像上における位置或いは範囲として特定する位置範囲特定処理と
を含むことを特徴とする画像処理方法。